(57)【要約】  色、表面仕上げによる質感、および光透過率の３要素に応じた透光性の時計用文字板の微妙な外観の違いを模擬することができる色見本群を提供する。時計用文字板の色見本群（１）は、時計用のソーラセルまたはソーラセルの色を模したシートで形成された下地シート（３１，４１）と、時計内でソーラセルの上に重ねられる透光性の時計用文字板を構成する基材の色見本であって、複数の色のそれぞれについて基材の凹凸に関する表面状態および光透過率が互いに異なる複数の色見本（３４〜３７，４４〜４７）を含む第１の色見本群（３，４）とを有する。
2017171078.tif 000002
【特許請求の範囲】
【請求項１】
時計用のソーラセルまたは前記ソーラセルの色を模したシートで形成された下地シートと、
時計内で前記ソーラセルの上に重ねられる透光性の時計用文字板を構成する基材の色見本であって、複数の色のそれぞれについて前記基材の凹凸に関する表面状態および光透過率が互いに異なる複数の色見本を含む第１の色見本群と、
を有することを特徴とする時計用文字板の色見本群。
【請求項２】
前記第１の色見本群は、前記表面状態が互いに異なる複数の色見本として、鏡面仕上げの色見本、梨地仕上げの色見本、および旭光仕上げの色見本のうちの複数を含む、請求項１に記載の色見本群。
【請求項３】
前記第１の色見本群に含まれる複数の色見本は、当該複数の色見本が視認可能に並べられた状態で収納具に収納されている、請求項１または２に記載の色見本群。
【請求項４】
前記下地シートは、前記収納具における前記複数の色見本を収納する収納部を構成する台紙である、請求項３に記載の色見本郡群。
【請求項５】
前記収納具は、前記第１の色見本群に含まれる複数の色見本と前記下地シートとの間に半透過反射板をさらに収納する、請求項４に記載の色見本群。
【請求項６】
前記下地シートには、前記第１の色見本群に含まれる複数の色見本の前記収納具内での配置位置にそれぞれ対応する位置に、前記ソーラセルが時計内に設置されるときの分割線または前記分割線を模した線が形成されている、請求項４または５に記載の色見本群。
【請求項７】
前記収納具には、前記複数の色見本をそれぞれ収納して見本となる部分を視認可能な複数のポケットが設けられており、
前記色見本が前記ポケットに収納された状態で、当該色見本の着色されている部分が当該ポケットに覆われ、かつ当該色見本の着色されていない部分が当該ポケットから露出している、請求項３〜６のいずれか一項に記載の色見本群。
【請求項８】
前記基材の装飾物の色見本であって、それぞれが透明シートの上に形成された複数の色見本を含む第２の色見本群をさらに有する、請求項１〜７のいずれか一項に記載の色見本群。
【請求項９】
前記第２の色見本群は、時字を模した文字の複数の色見本を含み、当該複数の色見本のそれぞれは、時字を模した文字の列であってそれぞれが同心円状に配置された複数種類の文字列を含む、請求項８に記載の色見本群。
【請求項１０】
前記時字を模した文字の列を構成する各文字の大きさは、それぞれの円周上で時計回りまたは反時計回りに次第に大きくなる、請求項９に記載の色見本群。
【請求項１１】
前記時字を模した文字の列は、前記透明シートの上に白色の下地を介して形成された文字と、前記透明シートの上に白色の下地を介さずに形成された文字とで構成される、請求項９または１０に記載の色見本群。
【請求項１２】
前記下地シートは、時計に組み込まれる複数種類のソーラセルがシート部材に貼り付けられたものである、請求項１〜１１のいずれか一項に記載の色見本群。
【発明の詳細な説明】
【技術分野】
【０００１】
本発明は、時計用文字板の色見本群に関する。
【背景技術】
【０００２】
図１３は、光電変換を利用して発電するソーラセル（太陽電池）付き時計５０の断面図である。ソーラセル付き時計５０は、ケース５１、中枠５２、ムーブメント５３、ソーラセル５４、半透過反射板５５、指針軸５６、指針５７、カバーガラス５８、裏蓋５９、および透光性の文字板６０を有する。ムーブメント５３、ソーラセル５４、半透過反射板５５および文字板６０は、ケース５１内に、中枠５２を介してこの順序で配置されている。指針軸５６は、ムーブメント５３の中央から文字板６０の上面側にまで延びており、その先端には、長針および短針である指針５７が取り付けられている。また、文字板６０の上面には、時字である指標６２が設けられている。カバーガラス５８は、時計の上面側で文字板６０と指針５７を覆うように、裏蓋５９は、時計の裏面側でムーブメント５３を覆うように、それぞれケース５１に固定されている。【０００３】
図１４（Ａ）および図１４（Ｂ）は、透光性の時計用文字板を説明するための模式的な断面図である。図１３の文字板６０のような透光性の時計用文字板には、主に、図１４（Ａ）および図１４（Ｂ）に示す２種類のものがある。図１４（Ａ）に示す文字板６０Ａは、塗料を混ぜた樹脂を射出成形することで全体が着色した樹脂製の文字板基板６１Ａで構成される。図示しないが、着色した文字板基板６１Ａの表面全体にさらに印刷を行って、色を重ねることもある。図１４（Ｂ）に示す文字板６０Ｂは、透明樹脂またはガラスなどで構成された透明な文字板基板６１Ｂの下面（または上面）全体を、印刷層６３により着色して得られる。文字板基板６１Ａ，６１Ｂの上面には、時字などの文字である指標６２が印刷されている。光電変換を利用して発電する時計では、着色され時字などの装飾が施されたこのような透光性の文字板基板がソーラセルの上に配置される。【０００４】
時計の文字板を含め、工業製品のデザインが決められるときには、一般に、デザイナが市販の色見本台帳を見て製品の各部の色を指定し、製造部門が塗料やインクでその指定された色に調色する。色見本の例として、特許文献１には、光透過性シートに着色見本を有する色見本シートと、色見本シートの色を評価する為の下地シートとを有する色見本セット記載されている。特許文献１の色見本セットによれば、下地シート上に色見本シートを重ね合わせることで、着色対象物が着色された際の色味を掴むことができる。
【先行技術文献】
【特許文献】
【０００５】
【特許文献１】特開２００９−２０４７０７号公報
【発明の概要】
【発明が解決しようとする課題】
【０００６】
時計は多種多様な装飾品としての側面を有するので、時計用文字板には微妙な色味の違いが求められる。特に、透光性の時計用文字板の外観は、色、表面仕上げによる質感、および光透過率の３要素が相まって決まる。例えば、時計用文字板の表面仕上げが鏡面の場合と梨地の場合とでは、同色の塗料を用いて文字板基板を着色しても、後者の方が光の拡散および散乱作用によって白濁化した色味となるため、外観は互いに異なる。しかしながら、一般的な不透明の色見本を使用したのでは、色、質感および光透過率の中で、色しか指定できない。こうした不透明な色見本を使用する場合には、デザイナが完成品を想像して色を指定することになるため、デザイナが意図した外観と実際に製造されたものの外観とが異なっていることがよくあり、製造時に色を調整する工程が煩雑になる。【０００７】
特許文献１の色見本セットは、透光性の色見本ではあるが、着色対象物に着色された場合の色味を掴む程度のものである。特許文献１の色見本セットでは上記した３要素のうちで色しか表現されていないため、この色見本セットを時計用文字板にそのまま適用しても、透明基材への単純な着色だけには留まらない時計用文字板の微妙な色味の違いまでを模擬することはできない。【０００８】
そこで、本発明は、色、表面仕上げによる質感、および光透過率の３要素に応じた時計用文字板の微妙な外観の違いを模擬することができる色見本群を提供することを目的とする。
【課題を解決するための手段】
【０００９】
時計用のソーラセルまたはソーラセルの色を模したシートで形成された下地シートと、時計内でソーラセルの上に重ねられる透光性の時計用文字板を構成する基材の色見本であって、複数の色のそれぞれについて基材の凹凸に関する表面状態および光透過率が互いに異なる複数の色見本を含む第１の色見本群とを有することを特徴とする時計用文字板の色見本群が提供される。【００１０】
上記の色見本群では、第１の色見本群は、表面状態が互いに異なる複数の色見本として、鏡面仕上げの色見本、梨地仕上げの色見本、および旭光仕上げの色見本のうちの複数を含むことが好ましい。【００１１】
上記の色見本群では、第１の色見本群に含まれる複数の色見本は、その複数の色見本が視認可能に並べられた状態で収納具に収納されていることが好ましい。【００１２】
上記の色見本群では、下地シートは、収納具における複数の色見本を収納する収納部を構成する台紙であることが好ましい。【００１３】
上記の色見本群では、収納具は、第１の色見本群に含まれる複数の色見本と下地シートとの間に半透過反射板をさらに収納することが好ましい。【００１４】
上記の色見本群では、下地シートには、第１の色見本群に含まれる複数の色見本の収納具内での配置位置にそれぞれ対応する位置に、ソーラセルが時計内に設置されるときの分割線または分割線を模した線が形成されていることが好ましい。【００１５】
上記の色見本群では、収納具には、複数の色見本をそれぞれ収納して見本となる部分を視認可能な複数のポケットが設けられており、色見本がポケットに収納された状態で、その色見本の着色されている部分がそのポケットに覆われ、かつその色見本の着色されていない部分がそのポケットから露出していることが好ましい。【００１６】
上記の色見本群は、基材の装飾物の色見本であって、それぞれが透明シートの上に形成された複数の色見本を含む第２の色見本群をさらに有することが好ましい。【００１７】
上記の色見本群では、第２の色見本群は、時字を模した文字の複数の色見本を含み、その複数の色見本のそれぞれは、時字を模した文字の列であってそれぞれが同心円状に配置された複数種類の文字列を含むことが好ましい。【００１８】
上記の色見本群では、時字を模した文字の列を構成する各文字の大きさは、それぞれの円周上で時計回りまたは反時計回りに次第に大きくなることが好ましい。【００１９】
上記の色見本群では、時字を模した文字の列は、透明シートの上に白色の下地を介して形成された文字と、透明シートの上に白色の下地を介さずに形成された文字とで構成されることが好ましい。【００２０】
上記の色見本群では、下地シートは、時計に組み込まれる複数種類のソーラセルがシート部材に貼り付けられたものであることが好ましい。
【発明の効果】
【００２１】
上記の色見本群では、色、表面仕上げによる質感、および光透過率の３要素に応じた時計用文字板の微妙な外観の違いを模擬することができる。
【図面の簡単な説明】
【００２２】
【図１】色見本セット１の概念図である。
【図２】文字の色見本帳２の一部を示す図である。
【図３】文字の色見本片２３の説明図である。
【図４】文字の色見本片２３の別の例を示す図である。
【図５】樹脂の色見本帳３の一部を示す図である。
【図６】色見本セット１の使用形態の説明図である。
【図７】色見本セット１の使用形態の説明図である。
【図８】印刷の色見本帳４の一部を示す図である。
【図９】色見本セット１の別の使用形態の説明図である。
【図１０】ソーラセルの分割線５４Ｌと別の下地シート３１’の説明図である。
【図１１】ソーラセル台帳１０の一部を示す図である。
【図１２】ソーラセル台帳１０の使用形態の説明図である。
【図１３】ソーラセル付き時計５０の断面図である。
【図１４】透光性の時計用文字板を説明するための模式的な断面図である。
【発明を実施するための形態】
【００２３】
以下、図面を参照して、時計用文字板の色見本群について詳細に説明する。ただし、本発明は図面または以下に記載される実施形態には限定されないことを理解されたい。
【００２４】
図１は、色見本セット１の概念図である。色見本セット１は、色、表面仕上げによる質感、および光透過率の３要素が表現された時計用文字板の色見本群の一例であり、透光性の時計用文字板の各部の色を模擬するために使用される。色見本セット１は、文字の色見本帳２、樹脂の色見本帳３および印刷の色見本帳４を有する。
【００２５】
文字の色見本帳２は、第２の色見本群の一例であり、時計用文字板（基材）の装飾物である時字を模した文字（指標）の複数の色見本を収納する台帳である。樹脂の色見本帳３は、第１の色見本群の一例であり、図１４（Ａ）に示した着色樹脂タイプの時計用文字板における文字板基板（基材）の色見本を収納する台帳である。印刷の色見本帳４は、第１の色見本群の一例であり、図１４（Ｂ）に示した印刷タイプの時計用文字板における文字板基板（基材）の色見本を収納する台帳である。
【００２６】
図１の例では、文字の色見本帳２は符号２ａ，２ｂ，２ｃ，・・・，２ｎで示すｎ冊で、樹脂の色見本帳３は符号３ａ，３ｂ，３ｃ，・・・，３ｎで示すｎ冊で、印刷の色見本帳４は符号４ａ，４ｂ，４ｃ，・・・，４ｎで示すｎ冊で、それぞれ構成される。ただし、冊数は３種類の色見本帳で互いに異なっていてもよいし、いずれの色見本帳も１冊のみであってもよい。また、例えば、色見本帳２ａ，３ａ，４ａには赤系の色見本を収納し、色見本帳２ｂ，３ｂ，４ｂには青系の色見本を収納するなどというように、同系色の色見本を冊子ごとにまとめて収納してもよい。
【００２７】
図２は、文字の色見本帳２の一部を示す図である。文字の色見本帳２は、例えば、各ページに複数の透明ポケットが形成されたクリアファイルなどの収納具に、複数の色見本片を視認可能に並べて収納したものである。図２は、各ページに８個の透明ポケット２２が形成されたクリアファイルの１ページを示しており、各透明ポケット２２に１枚ずつ文字の色見本片２３を入れることで、１ページ当たり文字の色見本片２３を８枚並べて収納した場合の例を示している。文字の色見本帳２は、図示した例では横長であるが、縦長であってもよい。符号２１は、クリアファイルの各ページの台紙である下地シートを示す。
【００２８】
図３は、文字の色見本片２３の説明図である。文字の色見本片２３は透明シート２４で構成され、透明シート２４の上には、識別番号２５と文字の色見本２６が印刷されている。透明シート２４は、例えば、アクリル樹脂、ポリ塩化ビニル樹脂、ポリカーボネート樹脂などの合成樹脂をフィルム状または板状にしたもので構成される。識別番号２５は、文字の色見本２６の色を識別するために、文字の色見本片２３ごとに付与された固有の番号である。
【００２９】
文字の色見本２６は、時字を模した文字の列であってそれぞれが同心円状に配置された複数種類の文字列で構成される。一般に、時字としてはアラビア数字、ローマ数字または棒線が用いられるので、図３の例では、文字の色見本２６として、これらが３つの円周上に分かれて印刷されている。また、文字の色見本２６を構成する各文字は、それぞれの円周上で、時計回りまたは反時計回りに文字サイズと太さが変化している。図３の例では、例えばアラビア数字については、「１」が最小であって、時計回り（矢印Ｃ方向）に文字サイズと太さが大きくなり、「１２」が最大になっている。文字の色見本帳２は、このように、複数種類の文字のそれぞれについて、小さくて細い文字から大きくて太い文字までを含むため、様々なデザインの時字を１枚の色見本片で模擬することができる。
【００３０】
また、文字の色見本２６の文字列は、透明シート２４の上に白色の下地を介して形成された文字と、透明シート２４の上に白色の下地を介さずに形成された文字とで構成される。図３の例では、文字の色見本２６のうちで、左側半分の文字２６Ｌが下地ありの時字であり、右側半分の文字２６Ｒが下地なしの時字である。図３では、これらの違いを、アラビア数字の「１２」と「２」を拡大したもの（符号２７，２８）で模式的に示している。文字板基板に白色の下地を介して時字が印刷されると文字そのものの色が見えるが、下地を介さずに時字が印刷されると、下方の文字板基板の色と時字の色とが混ざるので、白色の下地がある場合とは発色が異なる。文字の色見本帳２は、下地の有無が異なる２種類の文字が各色見本片に含まれているため、下地の有無に応じた発色の違いも１枚の色見本片で模擬することができる。
【００３１】
図４は、文字の色見本片２３の別の例を示す図である。図４の例でも、文字の色見本２６として、アラビア数字、ローマ数字および棒線の時字が、３つの円周上に分かれて印刷されており、棒線の列には１２時と１時の位置を除いてドットも印刷されている。各文字は、高さがそれぞれ同じであり、線の太さが互いに異なっている。図３の例では、各文字の線の太さは、１２時の位置にあるものが３０μｍで最も細く、そこから時計回りに順に太くなり、１１時の位置にあるものが４００μｍで最も太い。棒線の列に印刷されたドットの直径も、対応する位置にある文字の太さと同じであり、時計回りに大きくなる。
【００３２】
一般に、面積の小さいものは色が濃く見え、面積が大きいものは薄く見えるので、図３の例のようにサイズの異なる文字（すなわち、文字の幅と高さの比率を保って拡大縮小する）か、図４の例のように線の太さの異なる文字を同じ見本片の中に含めておくとよい。あるいは、線の太さを同じにして高さを互いに異ならせた複数の文字を同じ見本片の中に含めてもよい。まとめると、文字の色見本には互いに大きさが異なる複数の文字を含めるとよく、ここでいう「大きさ」には、文字を構成する線の太さや、文字を構成する線の部分の面積も含まれる。このように文字の色見本を構成することにより、面積に応じて色の見え方がどのように変わるのかを確認することができる。
【００３３】
図５は、樹脂の色見本帳３の一部を示す図である。樹脂の色見本帳３も、文字の色見本帳２と同様に、各ページに複数の透明ポケットが形成されたクリアファイルなどの収納具に、複数の色見本片を視認可能に並べて収納したものである。図５は、各ページに８個の透明ポケット３２が形成されたクリアファイルの１ページを示しており、各透明ポケット３２に１枚ずつ樹脂の色見本片３３を入れることで、１ページ当たり樹脂の色見本片３３を８枚並べて収納した場合の例を示している。樹脂の色見本帳３は、図示した例では横長であるが、縦長であってもよい。符号３１は、クリアファイルの各ページの台紙である下地シートを示す。
【００３４】
樹脂の色見本片３３は、例えば合成樹脂で構成されたフィルム状、シート状または板状の部材であり、透光性を有するように着色された樹脂の色見本３４〜３７を含む。樹脂の色見本３４〜３７は、光電変換を利用して発電する時計内でソーラセルの上に重ねられる文字板基板（基材）の色見本である。また、樹脂の色見本片３３の上には、識別番号３８と光透過率の値３９が印刷されている。識別番号３８は、樹脂の色見本３４〜３７の色を識別するために、樹脂の色見本片３３ごとに付与された固有の番号である。光透過率の値３９は、樹脂の色見本３４〜３７の光透過率を示す数値である。
【００３５】
樹脂の色見本片３３の厚さは、標準的に用いられる文字板と同等であることが好ましい。その理由は、標準的に用いられる文字板に対して極端に厚いか、または、薄い厚さに形成した樹脂の色見本片３３を用いて色味を選定しても、その厚さも含めた質感は、実際の文字板とは異なる印象を与える場合があるためである。一般に、標準的に用いられる文字板の厚さは、４００μｍか、その前後の３００μｍや５００μｍ程度の厚さである。従って、樹脂の色見本片３３は、３００μｍ〜５００μｍの厚さとすればよい。例えば、４００μｍの厚さにしておけば、様々な文字板に無難に対応することができる。
【００３６】
樹脂の色見本帳３では、１枚の色見本片に、同色の着色剤によって着色され表面状態が互いに異なる樹脂の色見本３４〜３７が形成されている。樹脂の色見本３４〜３７は、それぞれ、鏡面仕上げの色見本、粗い旭光（放射状）仕上げの色見本、薄い旭光仕上げの色見本、および梨地仕上げの色見本である。このように、樹脂の色見本帳３は、複数の色のそれぞれについて、基材の凹凸に関する表面状態が互いに異なる複数の色見本を含む。
【００３７】
また、樹脂の色見本帳３は、複数の色および複数の表面状態のそれぞれについて、光透過率が互いに異なる複数の色見本を含む。図５では、樹脂の色見本帳３は、同色で仕上げが異なる４種類の色見本のそれぞれについて、光透過率が１５％〜５０％の範囲で互いに異なる４つの色見本を示している。例えば、光透過率が互いに異なる複数の色見本片は、樹脂の色見本片３３の原料となる樹脂に混ぜられる同色の顔料の割合を透過率に応じて変えることにより作成することができる。ソーラセル付き時計では、時計のムーブメントの性能に応じて、必要な電力をソーラセルで生成できるように、文字板基板の光透過率が決定される。このため、光透過率が互いに異なる複数の色見本を含めることで、製造対象の文字板基板に合った光透過率の色見本を選択することが可能になる。
【００３８】
下地シート３１は、時計用のソーラセルの色を模した紙または合成樹脂などのシートで構成され、樹脂の色見本片３３を収納する収納部となる透明ポケット３２が形成される台紙である。すなわち、樹脂の色見本帳３では、樹脂の色見本片３３が収納される各透明ポケット３２の下地の色は、文字板基板の背面側に配置されるソーラセルを模した色である。また、樹脂の色見本帳３では、下地シート３１の面積は、各樹脂の色見本片３３の面積よりも大きい。このため、樹脂の色見本帳３では、ソーラセルと同じ色の下地シート３１上の予め定められた位置に、樹脂の色見本片３３が複数枚並べられている。樹脂の色見本帳３では、ソーラセルの色のシートを別途用意しなくても、樹脂の色見本片３３が収納具の透明ポケット３２に収納された状態で、色見本と同じ色の基材の背面にソーラセルが配置されたときにどのような色味になるのかが分かる。
【００３９】
図６および図７は、色見本セット１の使用形態を説明するための図である。ここでは、着色樹脂タイプの時計用文字板の色を選択する場合の使用形態を説明する。図７は、樹脂の色見本帳３の下地シート３１、樹脂の色見本片３３および文字の色見本片２３の使用時の位置関係を示す模式的な断面図である。
【００４０】
色見本セット１では、文字の色見本片２３は透明シートであり、樹脂の色見本３４〜３７も透光性のものであり、文字の色見本片２３と樹脂の色見本片３３は大きさが合っている。このため、従来の不透明な色見本とは異なり、ソーラセルの色の下地シート３１と、樹脂の色見本片３３と、文字の色見本片２３とを下からこの順番で３枚重ね合わせることで、実際の時計用文字板と同じ配置を模擬することができる。さらに、色見本セット１では、下地シート３１の上に、複数の樹脂の色見本片３３を並べ、それぞれに、文字の色見本片２３を重ねて、３枚重ねの組合せを複数並べることで、それらの外観を相互に比較することも可能である。
【００４１】
色見本セット１は、時計用文字板の色味を大きく左右する表面の凹凸に関する条件、光透過率の条件および装飾物（時字）の色味の条件を加味して、実際の時計用文字板の外観を模擬することができる。すなわち、色見本セット１は、透明基材への単純な着色だけには留まらない文字板の微妙な色味の違いまでを模擬することができる。特に、ソーラセル付き時計では、時計用文字板を透過した光を文字板の背面に配置されたソーラセルまで到達させるため、光が文字板の表面に入射しソーラセルの表面で反射して入射側に戻るまでの光の経路における光学特性が、文字板の外観に影響する。色見本セット１は、このような時計用文字板の光学特性、すなわち、より実物に近い時計用文字板の外観を模擬することができる。
【００４２】
色見本セット１を使用すれば、選択された色、表面仕上げおよび光透過率で文字板を実際に作製したらどのような外観になるのかを使用者が明確に把握することができるので、デザイナと製造部門の間で色味を容易に共有することができ、色の調整工程が簡略化される。製造部門にとっては、選択された文字の色見本と樹脂の色見本の識別番号２５，３８に対応する色を使用して製造することにより、デザイナが意図した外観の時計用文字板を容易に作製することが可能である。
【００４３】
図８は、印刷の色見本帳４の一部を示す図である。印刷の色見本帳４も、文字の色見本帳２および樹脂の色見本帳３と同様に、各ページに複数の透明ポケットが形成されたクリアファイルなどの収納具に、複数の色見本片を視認可能に並べて収納したものである。図８は、各ページに８個の透明ポケット４２が形成されたクリアファイルの１ページを示しており、各透明ポケット４２に１枚ずつ印刷の色見本片４３を入れることで、１ページ当たり印刷の色見本片４３を８枚並べて収納した場合の例を示している。印刷の色見本帳４は、図示した例では横長であるが、縦長であってもよい。符号４１は、クリアファイルの各ページの台紙である下地シートを示す。
【００４４】
印刷の色見本片４３は、例えば合成樹脂で構成されたフィルム状、シート状または板状の部材の表面に、塗料などで透光性を有するように着色を施して作成されたものである。印刷の色見本片４３の厚さは、樹脂の色見本片３３と同様に、３００μｍ〜５００μｍ程度とすることが好ましく、例えば４００μｍであるとよい。印刷の色見本片４３は、光電変換を利用して発電する時計内でソーラセルの上に重ねられる文字板基板（基材）の色見本である印刷の色見本４４〜４７を含む。また、印刷の色見本片４３の上には、識別番号４８と光透過率の値４９が印刷されている。識別番号４８は、印刷の色見本４４〜４７の色を識別するために、印刷の色見本片４３ごとに付与された固有の番号である。光透過率の値４９は、印刷の色見本４４〜４７の光透過率を示す数値である。
【００４５】
印刷の色見本帳４でも、１枚の色見本片に、同色の着色剤によって着色され表面状態が互いに異なる印刷の色見本４４〜４７が形成されている。印刷の色見本４４〜４７は、それぞれ、鏡面仕上げの色見本、粗い旭光（放射状）仕上げの色見本、薄い旭光仕上げの色見本、および梨地仕上げの色見本である。このように、印刷の色見本帳４も、複数の色のそれぞれについて、基材の凹凸に関する表面状態が互いに異なる複数の色見本を含む。なお、印刷の色見本片４３における塗料などが塗布される面は、複数の表面仕上げを施した面でもよいし、その反対側の面でもよい。
【００４６】
また、印刷の色見本帳４は、複数の色および複数の表面状態のそれぞれについて、光透過率が互いに異なる複数の色見本を含む。図８では、印刷の色見本帳４は、同色で仕上げが異なる４種類の色見本のそれぞれについて、光透過率が１５％〜５０％の範囲で互いに異なる４つの色見本を示している。例えば、光透過率が互いに異なる複数の色見本は、印刷の色見本片となる合成樹脂などの部材の表面に着色される同色の塗料の着色量を互いに異ならせて作成される。この場合、光透過率が大きな色見本については、色見本片の上に印刷層が薄く形成され、光透過率が小さな色見本については、色見本片の上に印刷層が厚く形成される。あるいは、同色の塗料の濃度を変えて、光透過率が互いに異なる印刷の色見本を形成してもよい。この場合、光透過率が大きな色見本については印刷層の塗料の濃度を低くし、光透過率が小さな色見本については印刷層の塗料の濃度を高くする。
【００４７】
下地シート４１は、下地シート３１と同様に、時計用のソーラセルの色を模した紙または合成樹脂などのシートで構成され、印刷の色見本片４３を収納する収納部となる透明ポケット４２が形成される台紙である。印刷の色見本帳４でも、下地シート４１の面積は、各印刷の色見本片４３の面積よりも大きい。このため、印刷の色見本帳４でも、ソーラセルと同じ色の下地シート３１上の予め定められた位置に、印刷の色見本片４３が複数枚並べられている。印刷の色見本帳４でも、ソーラセルの色のシートを別途用意しなくても、印刷の色見本片４３が収納具の透明ポケット３２に収納された状態で、色見本と同じ色の基材の背面にソーラセルが配置されたときにどのような色味になるのかが分かる。
【００４８】
樹脂の色見本帳３と印刷の色見本帳４は、図１４（Ａ）に示した着色樹脂タイプと図１４（Ｂ）に示した印刷タイプのどちらの時計用文字板を製造するかに応じて使い分けられる。印刷タイプの時計用文字板の色を選択する場合も、樹脂の色見本帳３に代えて印刷の色見本帳４を使用する点のみが異なり、使用形態は、図６および図７を用いて説明したものと同じである。
【００４９】
なお、着色樹脂タイプの時計用文字板の表面にさらに印刷が行われる場合には、樹脂の色見本帳３と印刷の色見本帳４の両方を使用して、下地シート３１、樹脂の色見本片３３、印刷の色見本片および文字の色見本片２３を４枚重ね合わせることで、同様に、実際の時計用文字板を模擬することができる。
【００５０】
樹脂の色見本帳３および印刷の色見本帳４は、互いに異なる表面状態の色見本として、鏡面仕上げの色見本、粗い旭光（放射状）仕上げの色見本、薄い旭光仕上げの色見本、および梨地仕上げの色見本の全部を含まなくてもよい。どちらの色見本帳も、例えば、鏡面仕上げと梨地仕上げの色見本のみを含んでもよいし、荒さの異なる旭光仕上げの色見本のみを含んでもよい。あるいは、どちらの色見本帳も、上記の４種類の他にも、実際の時計用文字板で使用される同心円または平行線などの所定の凹凸模様が表面に形成された色見本を含んでもよい。
【００５１】
また、図５および図８の例では、樹脂の色見本片３３および印刷の色見本片４３を４分割して、１枚の色見本片に同色で仕上げが異なる４種類の色見本を含めているが、分割数は３つ以下でも５つ以上でもよい。あるいは、１枚の色見本片は１つの色見本のみを含んでもよい。例えば、樹脂の色見本片３３および印刷の色見本片４３に色見本を２つずつ含める場合には、樹脂の色見本片３３における樹脂の色見本３６，３７や、印刷の色見本片４３における印刷の色見本４６，４７の部分を削除した大きさに、それぞれの色見本片を形成してもよい。この場合、樹脂の色見本帳３や印刷の色見本帳４は、例えば、各見本帳の各ページに４行３列などの配列で配置することもできる。また、樹脂の色見本片３３および印刷の色見本片４３は、４分割の場合であっても、その外径形状や大きさ、または樹脂の色見本帳３や印刷の色見本帳４の１ページ当たりの大きさによっては、例えば３行３列などの配列で配置することもできる。
【００５２】
また、図５および図８の例では、表面状態が異なる色見本が１枚の色見本片にまとめられ、光透過率が異なる色見本は別々の色見本片に形成されているが、１枚の色見本片の中に光透過率が異なる複数の色見本を含めてもよい。
【００５３】
あるいは、１枚の色見本片の中に、表面状態が同じで色が異なる複数の色見本を含めて、表面状態が異なる色見本を別々の色見本片に分けてもよい。また、１枚の色見本片の中では表面状態と光透過率の両方を同じにして、光透過率が異なる色見本も、別々の色見本片に分けてもよい。この場合、例えば、上記と同様に１枚の色見本片を４つの領域に分割して、そのそれぞれを同系色で互いに異なる色の色見本にしてもよい。
【００５４】
また、樹脂の色見本片３３と印刷の色見本片４３の材質は、合成樹脂に限らず、金属板に微小な穴を多数空けて光を透過させるようにしたものでもよい。また、文字の色見本片２３、樹脂の色見本片３３および印刷の色見本片４３には、汚れを防止するために、テフロン（登録商標）コーティングを設けるか、またはラミネートフィルムを貼り付けるなどしてもよい。
【００５５】
また、図示した例では、収納具の透明ポケット２２，３２，４２に文字の色見本片２３、樹脂の色見本片３３および印刷の色見本片４３の全体がそれぞれ収納されているが、各色見本片の一部（見本として用いられない部分）が透明ポケット２２，３２，４２から露出していてもよい。例えば、樹脂の色見本片３３については、その上端における識別番号３８と光透過率の値３９が印刷された部分（見本となる色が着色されていない部分）が透明ポケット３２から露出し、樹脂の色見本３４〜３７の部分（見本となる色が着色されている部分）が透明ポケット３２に覆われていてもよい。この場合、透明ポケット３２は、その全体に樹脂の色見本片３３を収納した状態でも識別番号３８と光透過率の値３９が印刷された部分を覆わないように、図５に示したものよりも小さく（高さ寸法が低く）形成される。
【００５６】
なお、収納具の透明ポケット２２，３２，４２としては、完全に透明ではなく、文字の色見本片２３、樹脂の色見本片３３および印刷の色見本片４３の見本となる部分が視認できる程度に半透明のものを適用することもできる。
【００５７】
色見本片のうちで着色されている部分に手で触れると、汚れが付着し、汚れが色の視認性を低下させて色の適否の判断の妨げになったり、汚れがインクの経年劣化による変質を生じさせて色の適否の判断の妨げになったりするおそれがある。しかしながら、着色されていない部分を透明ポケットから露出させて持ち手部分とすれば、色見本片のうちで着色されている部分に触れずに、収納具に対して色見本片を容易に出し入れすることができる。
【００５８】
なお、識別番号３８と光透過率の値３９が印刷された部分の全体が透明ポケット３２から露出していなくてもよく、この部分の下方が透明ポケット３２に覆われ、上方が把持できる程度に露出していてもよい。
【００５９】
また、樹脂の色見本帳３と印刷の色見本帳４は、各透明ポケット３２，４２内において、樹脂の色見本片３３と下地シート３１との間または印刷の色見本片４３と下地シート４１との間に、半透過反射板をさらに収納してもよい。半透過反射板は、光透過と光反射の両方の機能をもつ部材であり、入射光の一部を透過させてソーラセルの発電を可能にするとともに、入射光の一部を反射させてソーラセルが透けて見えないようする。このため、例えば樹脂の色見本帳３に半透過反射板をさらに収納して、使用時に、下地シート３１、半透過反射板、樹脂の色見本片３３および文字の色見本片２３の４枚重ねとすることで、実際の時計用文字板の外観をより正確に模擬することが可能になる。半透過反射板としては、例えば、反射型偏光板か、あるいは、透明な板材の下面に鉛直断面が３角形状であるプリズムがストライプ状に形成されたものを用いてもよい。
【００６０】
また、文字板は、標準的な厚さが、例えば５００μｍ等に定められている。従って、半透過反射板を有する文字板は、半透過反射板と、図１４（Ａ）と図１４（Ｂ）とに図示した文字板基板６１Ａや文字板基板６１Ｂとの総厚が、５００μｍに設定される。従って、半透過反射板の有無で、文字板基板６１Ａや文字板基板６１Ｂの厚さが異なる。
【００６１】
一方、特に、色付きの樹脂は、その厚さが色の見え方に与える影響が大きい。厚さによって見え方が変わるため、樹脂の色見本片については、同じ色でも、半透過反射板を用いる場合と半透過反射板を用いない場合のために、厚さが異なる複数種類の色見本片を設けることが好ましい。例えば、文字板の厚さが５００μｍであり、半透過反射板の厚さが１３０μｍである場合には、半透過反射板と文字板とを合わせた厚さが５００μｍになるように、樹脂の色見本片として、５００μｍのものと３７０μｍのものの２種類を設けてもよい。
【００６２】
図９（Ａ）〜図９（Ｃ）は、色見本セット１の別の使用形態の説明図である。図９（Ａ）は、一辺に透明シート７１が貼り付けられた台紙７２の上に、例えば樹脂の色見本片３３と文字の色見本片２３が重ねて配置された状態を示す。透明シート７１には、符号７３で示すように、時計の外装ケースとバンドが、幅方向に３組並べて印刷されている。また、透明シート７１は、外装ケースの中央部分７４を除いて、不透明に形成されている。図９（Ｂ）は、図９（Ａ）に示した状態から、図中矢印で示すように透明シート７１を折り返して、台紙７２の上に透明シート７１を重ねた状態を示す。このとき、台紙７２、樹脂の色見本片３３、文字の色見本片２３および透明シート７１が、下からこの順に重なる。
【００６３】
図９（Ｃ）は、３組の外装ケースとバンドにそれぞれ対応するように台紙７２上に３組の色見本片を配置して、透明シート７１を台紙７２上に重ねた状態の上面図である。このようにすれば、各色見本で実際に文字板を作製したときの時計としての色合いなどのバランスを確認することができる。さらに、例えば、時計の外装ケースとバンドの部分を盛り上がるように立体的に印刷すれば、より、時計の質感を模擬することも可能である。この場合、各色見本片を、円形または多角形状など、実際の文字板の形状に形成してもよい。ただし、透明シート７１の中央部分７４以外を不透明にすることで、文字板となる部分だけが透明シート７１を通して視認されるので、色見本片の形状にかかわらず、その色見本の色で実際に時計を作製した状態を模擬することができる。
【００６４】
例えば、図５に示したように、符号３４〜３７の４つの色見本に分割された樹脂の色見本片３３の場合は、樹脂の色見本３４〜３７のいずれかが透明シート７１の中央部分７４に位置するように樹脂の色見本片３３を配置する。この場合は、樹脂の色見本３４〜３７のいずれかと外装ケースおよびバンドとのバランスを確認することができる。また、樹脂の色見本３４〜３７の複数が中央部分７４内で均等に分割されて視認されるように（例えば、中央部分７４の左側に色見本３４が視認され、右側に色見本３５が視認されるように）樹脂の色見本片３３を配置する。この場合は、複数の色見本と外装ケースおよびバンドとのバランスを比較して確認することができる。
【００６５】
なお、図９に示した文字の色見本片２３では、図３や図４に示したものとは文字の配置が異なる。図９では、文字の色見本片２３として、透明シート７１の中央部分７４の形状に合わせて、アラビア数字、棒線やドットを配置した例を示している。
【００６６】
図９に示した外装ケースとバンドは一例である。もちろん、様々な形状、大きさ、色、材質の外装ケースとバンドから、代表的なものとして複数種類の外装ケースとバンドを、図９と同様に用いてもよい。
【００６７】
図１０（Ａ）は、ソーラセルの分割線５４Ｌの説明図である。一般に、時計内のソーラセル５４は、図１０（Ａ）に示す領域Ａ１〜Ａ４などのように、複数の領域に分割されている。ソーラセル付き時計では、発電層が設けられている領域Ａ１〜Ａ４と、発電層が設けられておらず領域Ａ１〜Ａ４を隔てる非発電領域である分割線５４Ｌとの色の違いが目立ちやすいので、分割線５４Ｌが目立たないように文字板基板の色を選択することが望ましい。そこで、樹脂の色見本帳３と印刷の色見本帳４の下地シート３１，４１には、各色見本片の配置位置にそれぞれ対応する位置に、ソーラセルの分割線５４Ｌを模した線が形成されていてもよい。
【００６８】
図１０（Ｂ）は、別の下地シート３１’の説明図である。図１０（Ｂ）では、樹脂の色見本帳３における８枚の樹脂の色見本片３３の配置位置に合わせて８つの模擬分割線３１Ｌが形成された別の下地シート３１’を示している。下地シート３１，４１に代えて下地シート３１’を用いれば、樹脂の色見本帳３と印刷の色見本帳４は、文字板基板上で分割線５４Ｌが目立つかどうかも模擬することができる。
【００６９】
なお、下地シート上の模擬分割線の位置は、図１０（Ｂ）に示したものとは異なっていてもよい。例えば、模擬分割線は、下地シート上で樹脂の色見本３４，３５の中心がそれぞれ配置される２点を結ぶ線分や、樹脂の色見本３６，３７の中心がそれぞれ配置される２点を結ぶ線分であってもよい。このように模擬分割線を形成すると、樹脂の色見本片３３が透明ポケット３２に収納された状態で、樹脂の色見本３４〜３７のそれぞれについて、ソーラセルの分割線が目立つかどうかを模擬することができる。
【００７０】
なお、下地シート３１，４１として、色見本帳とは独立したソーラセルの色のシートを用いてもよい。例えば、複数の文字の色見本片２３と複数の樹脂の色見本片３３または複数の印刷の色見本片４３とを並べて配置できる大きさに形成されたシートの表面にソーラセルを模した色を着色して、独立した下地シートを形成するとよい。
【００７１】
このように、下地シート３１，４１を樹脂の色見本帳３および印刷の色見本帳４の台紙とは別体に形成する場合には、台紙に下地シート３１，４１を挿入する収納ポケットを形成するとよい。例えば、台紙の大きさに形成された透明な第１のシートに台紙用の透明ポケットを形成し、第１のシートの背面側に透明または不透明な第２のシートを重ねて両者の３辺を接着などによって貼り合わせ、独立した下地シートを残りの１辺から挿入して第１のシートと第２のシートの間に収納するとよい。
【００７２】
また、特に印刷の色見本帳４の下地シート４１は、必要に応じて入替え可能であるとよい。例えば、文字板基板の地色が光透過性の白色であり、この表面側に印刷で着色される色を選択する場合には、印刷の色見本帳４の下地シート４１を、ソーラセルを通して視認される光透過性の白色にするとよい。すなわち、印刷の色見本帳４の下地シートの色は、ソーラセルの色に限らず、この色見本帳で選択される色が直接着色される基材の色を模した色であってもよい。
【００７３】
また、文字の色見本帳２の台紙（下地シート２１）は、透明ポケット２２とは別の形態で文字の色見本片２３を保持してもよい。例えば、文字の色見本片２３の四隅近傍に対応した台紙上の位置に、これらの四隅を横切る４つの切込みを形成し、文字の色見本片２３の四隅を対応する切り込みを通して台帳の表側から裏側に挿入して保持してもよい。樹脂の色見本帳３や印刷の色見本帳４の台紙も同様である。
【００７４】
上記では、装飾物の色見本を含む第２の色見本群の一例として文字の色見本帳２を示したが、装飾物は、時字を模した文字（指標）に限らず、社名もしくはブランド名などの文字、またはその他の記号、マーク（例えば星印など）、模様もしくは図形などであってもよい。また、装飾物は、時計の植字などの立体物か、あるいは時計の針などの金属部品であってもよい。装飾物の色見本は、インクにより印刷したものに限らず、金属蒸着またはメッキにより形成されたものでもよい。あるいは、金属によって文字、マーク、図形などが形成された転写シールを透明シートに貼り付けることにより、装飾物の色見本を形成してもよい。色見本セットは、文字の色見本帳２に代えて、あるいは文字の色見本帳２に加えて、こうした装飾物の色見本を含む色見本帳を有してもよい。
【００７５】
また、色見本セットは、必ずしも文字の色見本帳２を有していなくてもよい。例えば、色見本セットは、樹脂の色見本帳３および印刷の色見本帳４の２つだけを有してもよいし、あるいは、樹脂の色見本帳３と印刷の色見本帳４の一方だけを有してもよい。
【００７６】
あるいは、下地シート３１，４１として、ソーラセルそのものを使用してもよい。すなわち、樹脂の色見本帳３と印刷の色見本帳４に、ソーラセルを模した色の下地シート３１，４１の代わりに、ソーラセル自体を適用してもよい。この場合には、分割線５４Ｌが形成された時計用のソーラセルを樹脂の色見本帳３および印刷の色見本帳４の台紙（下地シート３１，４１）と同様な形状に形成し、各色見本帳に上記の台紙用の収納ポケットを設けて、台紙の形状のソーラセルを下地シートとしてその収納ポケットに収納するとよい。また、実際に時計に組み込まれるソーラセルを並べて配置して、これを下地シート３１，４１として用いてもよい。
【００７７】
腕時計に用いられるソーラセルには、外形形状、カレンダー用の窓の有無、分割線の位置などが異なる様々な種類のものがある。また、同じ種類のソーラセルでも製造業者によって色が異なったり、あるいは、同じ製造業者によるものでも、ソーラセルごとに色が微妙に異なったりする。こうしたソーラセルの違いは、すべて、文字板の色味に影響する場合がある。従って、より実際の時計に近い条件で色を選定できるようにするためには、台帳上でソーラセルの種類に応じて文字板の色味を確認できることが好ましい。そこで、色見本セット１は、こうした複数種類の実際のソーラセルを収容するソーラセル台帳を、下地シート３１，４１に加えてさらに別の下地シートとして有してもよいし、ソーラセル台帳だけを下地シート３１，４１の代わりに下地シートとして有してもよい。
【００７８】
図１１は、ソーラセル台帳１０の一部を示す図である。ソーラセル台帳１０は、時計に組み込まれる複数種類のソーラセル１１がＡ４サイズ（２９７×２１０ｍｍ）の台紙１２上に貼り付けられたものであり、樹脂の色見本片３３および印刷の色見本片４３の下地シート３１，４１と併用される。ソーラセル台帳１０では、例えば、同じ種類のソーラセル１１が横に３つ並べられており、これが縦に１０列並べられている。すなわち、ソーラセル台帳１０では３０個のソーラセルが配列している。ただし、この配置数は何個でもよく、例えば、ソーラセル台帳１０では、同じ種類のソーラセル１１を横に２つ並べてもよい。
【００７９】
各列のソーラセル１１の右側には、その列に貼り付けられたソーラセル１１を見本として使用する時計のムーブメントの種類を示すキャリバー（ｃａｌｉｂｅｒ）番号１３が記載されている。また、各列のソーラセル１１の左上には、その列に貼り付けられたソーラセル１１の種類とキャリバーを示すキャリバー名１４が記載されている。例えば、ソーラセル台帳１０の１列目に貼り付けられたソーラセル１１を見本として使用する時計のムーブメントのキャリバーは、ＡＡ１，ＡＡ２，ＡＡ３，ＡＡ４，ＡＡ５，・・・であり、１列目に実際に貼り付けられているソーラセル１１は、キャリバーＡＡ１用のものである。
【００８０】
腕時計のキャリバーは、例えば、次のように分類される。キャリバーＡＡ群には、男性用時計のサイズ、かつほぼ同じ色であり、カレンダー窓無しのソーラセルを用いるキャリバーが分類される。キャリバーＢＢ群には、男性用時計のサイズ、かつほぼ同じ色であり、キャリバーＡＡ群とは色が異なるソーラセルを用いるキャリバーが分類される。キャリバーＣＣ群には、男性用時計のサイズ、かつキャリバーＡＡ群とほぼ同じ色であり、カレンダー窓が形成されたソーラセルを用いるキャリバーが分類される。キャリバーＤＤ群には、女性用時計のサイズ、かつほぼ同じ色であり、カレンダー窓無しのソーラセルを用いるキャリバーが分類される。
【００８１】
ソーラセル台帳１０では、各キャリバー群から、代表的なソーラセルが１つ選定され、それがＮｏ．１，Ｎｏ．２，・・・として貼り付けられている。代表的なソーラセルとしては、例えば、各キャリバー群から、最も大きな外形サイズ用ものが選定される。ソーラセルの外形サイズや外形形状が色味の選定に影響する場合には、これらもキャリバー群の分類の条件としてもよい。
【００８２】
台紙１２としては、例えば、Ａ３サイズ（４２０×２９７ｍｍ）の厚紙をその長辺の中心で半分に折ったものが用いられる。台紙１２の内面右側におけるＡ４サイズの領域に、両面テープなどで複数のソーラセル１１が貼り付けられる。また、ソーラセル台帳１０は、台紙１２を折った状態で、左側の複数箇所に穴を空けてファイリングされる。ソーラセル１１の上に保護フィルムなどを介さずに、樹脂の色見本片３３または印刷の色見本片４３を直接重ねることで、ソーラセルによる色味の影響を、実際の文字板に近い条件で模擬することができる。直射日光などによるソーラセル１１の変色は、台紙１２の左側におけるＡ４サイズの領域をカバーとして閉じれば防ぐことができる。なお、台紙１２の材質は、折曲げ可能で不透明であれば、紙以外のものであってもよい。
【００８３】
図１２は、ソーラセル台帳１０の使用形態の説明図である。使用者は、まず、製品に用いるキャリバーを、台紙１２上の右側に記載されたキャリバー番号１３の中から探す。例えば、製品に採用されたキャリバーがＢＢ３の場合には、「ＢＢ３」がキャリバー番号１３に含まれる「Ｎｏ．２」の列に貼り付けられたソーラセル１１に、樹脂の色見本片３３または印刷の色見本片４３が重ねられる。図１２では、樹脂の色見本片３３が重ねられた場合の例を示している。さらに、その上に文字の色見本片２３も重ねられる。
【００８４】
ソーラセル台帳１０では、１種類につき複数のソーラセル１１が台紙１２上に貼り付けられているので、３つの同じソーラセル１１の上に３つの異なる色見本片を重ねた組合せを複数並べることで、それらの外観（色味）を相互に比較することができる。ソーラセル台帳１０では、同じ種類のソーラセル１１が台紙１２の横方向に配列し、種類の異なるソーラセル１１が台紙１２の縦方向に配列している。これは、色見本片を重ねた組合せは縦方向よりも横方向に並べる方が相互に比較しやすいためである。しかしながら、同じ色見本片を重ねた組合せを台紙１２上で縦方向に並べて、キャリバー間で外観を相互に比較することも可能である。
【００８５】
なお、樹脂の色見本３４〜３７は、ソーラセル１１のほぼ全体を覆う大きさであるとよい。そして、樹脂の色見本片３３に含まれる樹脂の色見本３４〜３７のいずれかを１つのソーラセル１１の上に重ねたときに、その隣に配置されているソーラセル１１がその色見本片に重ならないか、重なったとしても一部だけしか重ならない程度に、各列内の２つのソーラセル１１を離間させて配置するとよい。これらのことは、印刷の色見本片４３についても同様である。
【００８６】
さらに、ソーラセル台帳１０の別の使用方法として、文字板の生産時に、生産された文字板をソーラセル台帳１０の上に配置して、ソーラセルの分割線が見えるか否かを確認することもできる。
【符号の説明】
【００８７】
１    色見本セット
２，２ａ，２ｂ，２ｃ，・・・，２ｎ    文字の色見本帳
３，３ａ，３ｂ，３ｃ，・・・，３ｎ    樹脂の色見本帳
４，４ａ，４ｂ，４ｃ，・・・，４ｎ    印刷の色見本帳
１０    ソーラセル台帳
２１，３１，３１’，４１    下地シート
２２，３２，４２    透明ポケット
２３    文字の色見本片
２４    透明シート
２６    文字の色見本
３３    樹脂の色見本片
３４，３５，３６，３７    樹脂の色見本
４３    印刷の色見本片
４４，４５，４６，４７    印刷の色見本
【図１】
2017171078.tif 000003
【図２】
2017171078.tif 000004
【図３】
2017171078.tif 000005
【図４】
2017171078.tif 000006
【図５】
2017171078.tif 000007
【図６】
2017171078.tif 000008
【図７】
2017171078.tif 000009
【図８】
2017171078.tif 000010
【図９】
2017171078.tif 000011
【図１０】
2017171078.tif 000012
【図１１】
2017171078.tif 000013
【図１２】
2017171078.tif 000014
【図１３】
2017171078.tif 000015
【図１４】
2017171078.tif 000016
【国際調査報告】
2017171078.tif 000017
2017171078.tif 000018
2017171078.tif 000019
2017171078.tif 000020